(57)【要約】  フックアンドループ式ファスナ用のループ部材を備える吸収性物品が開示される。このループ部材は、キャリアに接着剤で付着される編地を備える。キャリアに編地を取り付ける接着剤模様は、実質的に編地の縦糸方向に延びる第１の複数の接着剤ストライプと、第１の複数の接着剤ストライプに対して実質的に垂直に延びる第２の複数の接着剤ストライプとを有する。
2013541376.tif 000002
【特許請求の範囲】
【請求項１】
フックアンドループ式ファスナ用のループ部材を備える吸収性物品であって、キャリア（１）と、該キャリア（１）に積層された編地（２）とを有し、前記編地（２）は、縦方向（Ｗ）の縦糸（３）と、フックとの連結に適した、該縦糸（３）に組み込まれたループ（４）とを有し、前記編地に面する前記キャリアの表面積の一部のみが接着剤で被覆されるように、前記キャリア（１）と前記編地（２）は互いに接着剤で付着され、前記接着剤は、第１の複数の接着剤ストライプ（６ａ）及び第２の複数の接着剤ストライプ（６ｂ）の形態で塗布され、前記第２の複数の接着剤ストライプ（６ｂ）は、前記第１の複数の接着剤ストライプ（６ａ）に対して垂直に延びて、前記第１の複数の接着剤ストライプ（６ａ）と交差し、前記第１の複数の接着剤ストライプは縦方向（Ｗ）に延び、前記第１の複数の接着剤ストライプ（６ａ）のうちの隣接する接着剤ストライプ同士の距離が、隣接する縦糸（３）同士の距離よりも長いことを特徴とする、吸収性物品。
【請求項２】
前記第１の複数の接着剤ストライプ（６ａ）及び前記第２の複数の接着剤ストライプ（６ｂ）は、多数の長方形の模様（７）を形成する、請求項１に記載の吸収性物品。
【請求項３】
前記第１の複数の接着剤ストライプ（６ａ）及び前記第２の複数の接着剤ストライプ（６ｂ）は、多数の正方形の模様を形成する、請求項２に記載の吸収性物品。
【請求項４】
隣接する接着剤ストライプ（６ａ）同士の距離（ａ）は、隣接する縦糸同士の距離の１．５倍〜５倍、好ましくは隣接する縦糸同士の距離の２倍〜４倍である、請求項１〜３のいずれか一項に記載の吸収性物品。
【請求項５】
前記縦方向（Ｗ）に進む隣接する接着剤ストライプ（６ａ）同士の距離（ａ）は、７ｍｍ〜２０ｍｍである、請求項１〜４のいずれか一項に記載の吸収性物品。
【請求項６】
隣接する縦糸（３）同士の距離（ｂ）は、１ｍｍ〜３ｍｍ、好ましくは１．２ｍｍ〜２．２ｍｍである、請求項１〜５のいずれか一項に記載の吸収性物品。
【請求項７】
前記編地（２）に面する前記キャリア（１）の表面積は、第１の複数の接着剤ストライプ（６ａ）及び第２の複数の接着剤ストライプ（６ｂ）の模様で被覆される前記キャリア（１）の表面積を基準として１０％〜５０％、好ましくは２０％〜３０％である、請求項１〜６のいずれか一項に記載の吸収性物品。
【請求項８】
前記編地（２）の坪量は、８ｇ／ｍ２〜２１ｇ／ｍ２、好ましくは８ｇ／ｍ２〜２１ｇ／ｍ２である、請求項１〜７のいずれか一項に記載の吸収性物品。
【請求項９】
前記キャリア（１）はフィルムである、請求項１〜８のいずれか一項に記載の吸収性物品。
【請求項１０】
前記キャリア（１）と前記編地（２）は、前記ループ部材の外縁部に沿って、全表面にわたって互いに接着剤で接着されて、接着剤フレーム（８）を形成する、請求項１〜９のいずれか一項に記載の吸収性物品。
【請求項１１】
前記ループ部材は、前方腰部領域にて前記吸収性物品の外表面に付着される、請求項１〜１０のいずれか一項に記載の吸収性物品。
【請求項１２】
前記ループ部材は長方形であり、前記ループ部材の横寸法は、前記ループ部材の長手寸法の少なくとも３倍である、請求項１１に記載の吸収性物品。
【請求項１３】
前記ループ部材は、吸収性物品の外側カバーに吸収性インサートを締結するのに有用である、請求項１〜１２のいずれか一項に記載の吸収性物品。
【請求項１４】
前記ループ部材は、使い捨て構成にて前記吸収性物品を締結するのに有用であり、前記使い捨て構成は、折り畳み式又はロール式の構成である、請求項１〜１３のいずれか一項に記載の吸収性物品。
【請求項１５】
前記編地（２）は、バックシートが前記キャリア（１）として働くように、前記吸収性物品のバックシートに直接付着される、請求項１〜１４のいずれか一項に記載の吸収性物品。
【発明の詳細な説明】
【技術分野】
【０００１】
本発明は、フックアンドループ式ファスナを備えた吸収性物品に関するものであり、その雌型の複合材料要素は、キャリアと、そのキャリアに接着剤で付着された編地とを有する。編地は、縦方向に進む縦糸と、フックとの連結に適した、縦糸に組み込まれたループとを有する。
【背景技術】
【０００２】
吸収性物品用の、特におむつ用のフックアンドループ式ファスナは、当該技術分野で周知である。ある種類のフックアンドループ式ファスナにおいて、ループ部材は、フィルム層などのキャリアを備え、そのキャリアに編地が接着剤で付着される。フックアンドループ式部材を互いに締結するために、フック部材に含められたフックが編地と係合する。
【０００３】
通常、ファスナのループ部材は、前方腰部領域（多くの場合、「ランディングゾーン」と呼ばれる）にておむつの外表面に付着されるが、フック部材は後方腰部領域に取り付けられる。使用中、フックファスナはランディングゾーンに取り付けられて、着用者に吸収性物品を付着させ、着用者の腰部及び臀部の周りの定位置に保持する。フックアンドループ式ファスナは、ファスナの機能性を損なうことなく、何度も開閉され得る。粘着ファスナとは対照的に、フックアンドループ式ファスナは、スキンクリーム又はパウダーとの接触による影響を受けない。
【０００４】
吸収性物品において使用するためには、編地を備えるループ部材に様々な要件が求められる。編地は、一方では、フックとの十分な絡み合いを確実にするべきであり、他方では、製造するのに費用効果的であり、したがって可能な限り軽い坪量を有するべきである。フックとの確実な連結を達成することは、編地の、十分な数の自由に運動するループ及び繊維を必要とするが、これらの機能が、キャリアに編地を接着することで減じられてはならない。同時に、フックアンドループ式ファスナが何度も使用される場合でも分離及び引裂きを回避するために、編地は、大いに安定であると共に接着剤でキャリアに十分に連結されるように設計されなければならない。
【０００５】
編地を備えたループ部材を有するフックアンドループ式ファスナが、国際公開第２００６／０４５１１８  Ａ１号により知られており、ここには、垂直に交差する直線状の接着剤ストリップを、取り得る選択肢として有する格子模様をなして、キャリアに編地を接着剤で付着することについて示されている。
【０００６】
また、欧州特許第１  ９９７  ９４２  Ａ１号では、ループ部材の編地が不織布キャリアに付着されるフックアンドループ式ファスナについて述べられている。
【０００７】
更なるフックアンドループ式ファスナが、欧州特許第１  ５７９  ７７９  Ａ１号及び同第１  ６９０  ９６７  Ａ１号によって知られている。
【先行技術文献】
【特許文献】
【０００８】
【特許文献１】国際公開第２００６／０４５１１８  Ａ１号
【特許文献２】欧州特許第１  ９９７  ９４２  Ａ１号
【特許文献３】欧州特許第１  ５７９  ７７９  Ａ１号
【特許文献４】欧州特許第１  ６９０  ９６７  Ａ１号
【発明の概要】
【発明が解決しようとする課題】
【０００９】
フックアンドループ式ファスナが当該技術分野で既知であるにもかかわらず、ループ部材の編地とキャリアとの接着剤による付着が、着用者への物品の付着を適切にかつ確実にするためにフック部材と十分に係合するようにしながらも費用効率的な方式でなされる、改善されたフックアンドループ式ファスナが依然として求められている。
【課題を解決するための手段】
【００１０】
本発明は、フックアンドループ式ファスナ用のループ部材を備える吸収性物品に関するものであり、この吸収性物品は、キャリアと、そのキャリアに積層された編地とを有する。編地は、縦方向の縦糸（本明細書では以降、長手方向とも呼ばれる）と、フックとの連結に適した、その縦糸に組み込まれたループとを有する。キャリアと編地は、編地に面するキャリアの表面積の一部が接着剤で被覆されるように、互いに接着剤で付着される。接着剤は、第１の複数の接着剤ストライプ及び第２の複数の接着剤ストライプの形態で塗布される。第２の複数の接着剤ストライプは、第１の複数の接着剤ストライプに対して垂直に延びて、第１の複数の接着剤ストライプと交差する。第１の複数の接着剤ストライプは縦方向に延びる。第１の複数の接着剤ストライプのうちの隣接する接着剤ストライプ同士の距離は、隣接する縦糸同士の距離よりも長い。
【図面の簡単な説明】
【００１１】
本発明のこれらの及び他の特徴、態様及び利点は、以下の詳細な説明、添付の「特許請求の範囲」、及び添付の図面を参照すると、更に理解されよう。
【図１Ａ】本発明によるループ部材の平面図。
【図１Ｂ】図１Ａのループ部材の一部分の拡大図。
【図２Ａ】先行技術による接着剤模様（編地を示すものではない）。
【図２Ｂ】先行技術による接着剤模様（編地を示すものではない）。
【図２Ｃ】本発明の接着剤模様の概略図（編地を示すものではない）。
【発明を実施するための形態】
【００１２】
「吸収性物品」は、身体浸出物を吸収及び収容する装置を指し、より具体的には、身体から排泄された様々な浸出物を吸収及び収容するために、着用者の身体に触れるかあるいは着用者の身体に近接して配置される装置を指す。吸収性物品には、おむつ、パンツ、トレーニングパンツ、成人用失禁下着などが含まれてもよい。本明細書で用いるとき、「体液」又は「身体浸出物」という用語は、限定するものではないが、尿、血液、膣分泌物、母乳、汗及び糞便物質を含む。本発明の好ましい吸収性物品は、おむつ及び再締結式パンツである。
【００１３】
「含む（Comprise、comprising、comprises）」は包含的用語であり、各々は、それに続くもの、例えば構成要素の存在を指定するものであるが、他の機構、例えば、当該技術分野で既知の又は本明細書で開示する要素、工程、構成要素の存在を除外するものではない。
【００１４】
「使い捨て」は、通常の意味では、様々な期間にわたって、限られた回数、例えば、約２０回未満、約１０回未満、約５回未満、又は約２回未満、使用された後に、処分又は廃棄される物品を表すために用いられる。使い捨て吸収性物品はほとんどの場合、１回使用された後に処分される。
【００１５】
「おむつ」は、一般に幼児及び失禁症者によって、着用者の腰部及び脚部を囲むように胴体下部の周りで着用され、尿及び糞便排泄物を受容及び収容するように特に適合された吸収性物品を指す。
【００１６】
「パンツ」又は「トレーニングパンツ」は、本明細書で用いられるとき、乳児又は成人の着用者に合わせて設計された腰部開口部と脚部開口部とを有する使い捨て衣類を指す。パンツは、着用者の脚を脚部開口部に挿入し、パンツを着用者の胴体下部の周囲の適所に滑らせることにより、着用者の定位置に配置されてもよい。パンツは、任意の適切な技法によって予備形成されてもよく、そのような技法には、再締結可能な結合及び／又は再締結不能な結合（例えば、縫い目、溶着、接着剤、粘着性結合、締結具など）を用いて物品の各部分を互いに接合することが挙げられるが、それらに限定されるものではない。パンツは、物品の周囲に沿ったいかなる箇所で予備形成されてもよい（例えば、側面の締結、前方腰部の締結）。「パンツ」という用語が本明細書で用いられているが、パンツはまた一般に、「密閉型おむつ」、「予備締結型おむつ」、「プルオンおむつ」、「トレーニングパンツ」、及び「おむつパンツ」とも呼ばれている。
【００１７】
実際に、フック部材に含まれるフックが、軽い接触／係合強度のみを用いてループ部材に付着され、結果として、適切にループ部材に係合するフックが少なすぎる場合に、予期せずにフックアンドループ式ファスナが開放されることが、時折確認されてきた。そのような場合、編地のループと係合するフックの個数が、吸収性物品を着用者に確実に締結するのに十分でない可能性が存在する。幼児用おむつ又はそれに似た成人用の失禁物品の取り付けはしばしばヘルパーによって実行されるが、おむつを着用する人物は多くの場合、静止しているわけではなく、取り付け及び締結をより困難にするということが考慮されなければならない。ユーザーが成人用おむつを自分自身で付ける場合、ユーザーは運動性及び協調性がしばしば制限されるという問題が更に残る。
【００１８】
締結システムを誤って開放することは、ループ部材の長手方向にも、ループ部材の横方向にも生じ得る。長手方向は、本明細書で用いるとき、縦糸が延びる方向を指す。多くの実施形態で、ループ部材の長手方向は、ループ部材が取り付けられる吸収性物品の長手方向と一致する。本発明の場合、長手方向は、ループ部材の製造中の機械方向に対応する。
【００１９】
使用中、横方向の開放は、吸収性物品が着用者に取り付けられるときに、ループ部材が通常、開放（及び閉鎖）される方向である。特に、年齢の高い乳児及び幼児の場合、特にフックアンドループ式ファスナが比較的小さな力を加えることで容易に開放され得る場合に、着用者自身が吸収性物品を開放することが起こり得る。
【００２０】
また、使用中、長手方向の不必要な開放が着用者の脚部又は腰部の運動から生じ得るが、この運動は、閉鎖した締結システムの長手方向に剥離力を誘発し得る。
【００２１】
したがって、フックをループと確実に係合させるために、長手方向と横方向の双方の剥離強度が比較的高くなるべきである。
【００２２】
本発明は、フックアンドループ式ファスナのループ部材を提供するが、そのループ部材は、経済的に製造され得るものであり、また、良好なフックアンドループ式締結の能力及び信頼性を、長手方向における剥離強度と横方向における剥離強度の双方に関して示すものである。
【００２３】
本発明のループ部材は、キャリアに積層された編地を備える。編地は、縦方向に進む縦糸と、フックと連結するのに適した、縦糸に組み込まれたループを有する。キャリアと編地は、表面全体にわたって互いに連結されるわけではない。少なくともループ部材の中央領域において、接着剤が、垂直に交差する接着剤ストライプで模様を形成する。この模様は、編地がキャリアに付着される前にキャリアに施される。接着剤ストライプの一部は縦方向の縦糸と平行に進み、接着剤ストライプの残りは縦糸と垂直に延びる。ループ部材は、フックアンドループ式ファスナの雌（ループ）部材を形成するものであり、おむつなどの吸収性物品に備えられる。一実施形態において、編地は、本発明の接着剤模様を用いて、おむつなどの吸収性物品の外側カバーに直接、接着剤で付着される。したがって、これらの実施形態において、吸収性物品の外側カバーはキャリアとして働く。明らかに、これらの実施形態において、キャリアの寸法は、編地の寸法よりも相当に大きい（キャリアは通常、吸収性物品のバックシートとなるため）。編地が直接、吸収性物品に接着剤で付着される実施形態の場合、特に本明細書に示す任意の値及び百分率に関して言えば、ループ部材の寸法及びサイズは、編地のサイズ及び寸法によって規定される。
【００２４】
フックアンドループ式ファスナのループ部材は通常、吸収性物品の前方腰部領域に貼り付けられ、フック部材は通常、後方腰部領域において吸収性物品の長手方向の側縁部に付着される。フックアンドループ式ファスナは、吸収性物品が着用者の腰部の周りの適所に正しく保持されるようにする。フックアンドループ式ファスナは、ファスナの機能性を損なうことなく、何度も開閉され得る。フックとの確実な連結を達成するには、編地の、十分な数の自由に運動するループ及び繊維を必要とするが、これらの機能は、キャリアに編地を接着することで減じられない。同時に、フックアンドループ式ファスナが何度も使用される場合でも分離及び引裂きを回避するために、編地は、安定であると共に接着剤でキャリアに十分に接合されるべきである。
【００２５】
交差する接着剤ラインの模様をなして編地をキャリアに接着剤で付着されたループ部材が当該技術分野で既知であるが、先行技術で設けられる接着剤の模様においては一般に、縦糸と並行に延びる隣接する接着剤ストライプ間の距離は、隣接する縦糸間の距離と実質的に等しい。しかしながら、厳密な模様の繰り返しを有するそのような接着による付着において、すべての縦糸が、縦糸に沿って、接着剤による付着に組み込まれ、結果として、比較的多数のループ及び繊維がフックとの係合に利用できなくなることがある。
【００２６】
本発明によれば、編地は、ある接着剤模様でキャリアに接着剤で付着され、その接着剤模様は、第１の複数の接着剤ストライプと第２の複数の接着剤ストライプとを有し、第１及び第２の複数の接着剤ストライプは互いに交差する。第１の複数の接着剤ストライプは、編地の縦糸に対して概ね平行に延び（すなわち、長手方向に延びている）、一方で、第２の複数の接着剤ストライプは、縦糸に対して概ね垂直に延びており（すなわち、横方向に延びている）、したがって第１の複数の接着剤ストライプに対して概ね垂直である。
【００２７】
本発明によれば、第１の複数の接着剤ストライプのうちの隣接する２本の接着剤ストライプ間の距離が、隣接する２本の縦糸間の距離の少なくとも２倍となるように、編地がキャリアに接着剤で付着される。それにより、多数の縦糸が、縦糸方向に対して垂直に延びる第２の複数の接着剤ストライプのみによってキャリアに取り付けられるようになる。第１の複数の接着剤ストライプのうちの隣接する２本の接着剤ストライプ間の距離は、隣接する２本の縦糸間の距離の２倍〜１０倍、好ましくは、隣接する２本の縦糸間の距離の３倍〜８倍、より好ましくは４倍〜８倍となり得る。隣接する２本の接着剤ストライプ間の距離は、ある接着剤ストライプの中心とそれに隣接する接着剤ストライプの中心との距離によって規定される。本発明の典型的な実施において、縦方向に進む第１の複数の接着剤ストライプのうちの隣接する２本の接着剤ストライプの中心間における測定距離は、７ｍｍ〜２０ｍｍ、好ましくは７ｍｍ〜１５ｍｍである。
【００２８】
第１の複数の接着剤ストライプのうちの各接着剤ストライプの幅は、０．５ｍｍ〜５ｍｍ、好ましくは０．５ｍｍ〜１．５ｍｍ、更により好ましくは０．５ｍｍ〜１．２ｍｍであってよい。第２の複数の接着剤ストライプのうちの各接着剤ストライプの幅は、０．５ｍｍ〜５ｍｍ、好ましくは０．５ｍｍ〜１．５ｍｍ、更により好ましくは０．５ｍｍ〜１．２ｍｍであってよい。第２の複数の接着剤ストライプのうちの各接着剤ストライプの幅は、第１の複数の接着剤ストライプのうちの各接着剤ストライプの幅と同じであってもよく、あるいは、第１の複数の接着剤ストライプのうちの各接着剤ストライプの幅と異なっていてもよい。本発明の場合、０．４ｍｍ未満又は０．５ｍｍ未満の幅を有する非常に細い接着剤ストライプは、第１及び第２の複数の接着剤ストライプの接着剤模様に含まれると見なされない。そのような幅の接着剤ストライプは、キャリアに編地を効率的に付着させることに寄与しないか、あるいは非常に限られた程度で寄与する（吸収性物品のループ部材に一般的に使用される縦糸は、１ｍｍ〜２ｍｍの範囲の幅を有し得る）。同じことが、製造上及び加工上の欠陥に起因し得る、キャリア上の非常に小さな接着剤ドット（０．４ｍｍ未満又は０．５ｍｍ未満の直径を有するドットなど）にも当てはまる。
【００２９】
本発明の場合、第１及び第２の複数の接着剤ラインが連続することが好ましい。しかしながら、特定の実施形態において、第１及び／又は第２の複数の接着剤ストライプが間欠的であってもよく、すなわち、破線の形態で設けられてもよい。それにより、接着剤のない短い空間で遮られた接着剤ストライプの断片が設けられる。そのような実施形態の場合、接着剤ストライプの断片の平均長さは、空間の長さと同じであってもよい。それに代わって、接着剤ラインの断片同士の空間が、接着剤ラインの断片と比較して相当に短くてもよい。例えば、接着剤ラインの断片は、平均で、空間の長さの少なくとも２倍であってもよい。
【００３０】
それにより、第１の複数の接着剤ストライプにあるいはそれらに近接して（すなわち、少なくとも一部の最小限の接着剤による付着が得られるように十分に近く）位置する縦糸は、キャリアに比較的緊密に取り付けられる。これらの縦糸に関して言えば、フック部材と係合する能力は、第１の複数の接着剤ラインの接着剤ストライプからより離れて位置する縦糸と比較すると、低減され得る。第１の複数の接着剤ストライプのうちの接着剤ストライプからより離れて位置する縦糸は、簡単にフック部材と係合するように、より容易に利用可能である。これらの縦糸は、第２の複数の接着剤ストライプのみによって、キャリアに接着剤で付着される。留意されたいこととして、これらの領域において、編地に含まれるループだけでなく、編地に含まれる他の縦糸もまた、フックと係合し得る。一般に、キャリア表面のうちの、接着剤で被覆される割合が比較的高くなると、フックと連結する編地の能力が低下し得るが、これは、過度に多数のループと繊維が、少なくとも部分的に、キャリアに接着剤で連結され、フック係合に利用できなくなるからである。また、全体的な製造費も、増加する接着剤の塗布に伴って増大する。
【００３１】
接着剤が設けられるキャリアの面積が小さすぎる場合、不均等な強度の分布が原因で編地が引き裂かれる危険性が存在する。更に、ループ部材の保全性（すなわち、編地とキャリアとの接着剤による連結）は、編地がキャリアから分離される程度に低下し得る。
【００３２】
最良の局所的なフックアンドループ式係合は、第１及び第２の複数の接着剤ストライプによって境界を画され局限される領域の中心にあると予想され得る。それらの領域において、編地は比較的自由に移動可能である。しかしながら、それらの領域は常に、閉じ込める接着剤のストライプによって囲まれ、編地はキャリアに確実に取り付けられるので、キャリアから編地が引き剥がされることは回避され得る。第１及び第２の複数の接着剤ストライプは、多数の長方形模様を形成してもよい。一実施形態において、第１及び第２の複数の接着剤ストライプは、多数の方形の模様（図２Ｃを参照）を形成する。
【００３３】
一般に、接着剤で被覆されるキャリアの面積が小さくなるにつれて、フックと自在に係合できる編地のループ及び繊維が多くなる。したがって、編地に面し、接着剤で被覆されるキャリアの表面積を低減すると通常、フック部材との係合が改善される。しかしながら、接着剤で被覆される表面積を低減することはまた、使用中に編地がキャリアから分離及び剥離する可能性をも高めることになる。第１及び第２の複数の接着剤ストライプを用いた本発明の接着剤模様は、接着剤で被覆される表面積を過度に低減する必要なく、先行技術の接着剤模様と比較して剥離強度を改善する。したがって、キャリアから編地が剥離する可能性を増大させることなく、確実でかつ適切なフック係合が改善される。本発明の場合、編地に面しかつ接着剤が設けられるキャリアの表面積は通常、編地に面しかつ第１及び第２の複数の接着剤ストライプのパターンが設けられるキャリアの表面積の１０％〜５０％、好ましくは２０％〜３０％であってよい（すなわち、フレームが使用される実施形態においては、そのようなフレームが設けられるループ部材の外縁部を除く）。
【００３４】
隣接する縦糸同士の距離は、第１の複数の接着剤ストライプのうちの隣接する接着剤ストライプの距離と比較して相当に短いものである。通常、隣接する縦糸同士の距離は、１ｍｍ〜４ｍｍ、好ましくは１ｍｍ〜３ｍｍ、より好ましくは１．２ｍｍ〜２．２ｍｍである。編地は、縦糸方向にジグザグ模様をなして進む連結糸を有してもよく、その連結糸は、隣接する２本の縦糸にわたってあるいは隣接する複数本の縦糸にわたって延びるものである。坪量の増加により、より多くのループをフックと係合させることができる。他方で、坪量の低い編地は費用を低減することにつながる。また編地の坪量が低いと、結果として編地はより半透明となり、キャリア上に設けられた（又はキャリア自体が十分に半透明である場合に吸収性物品の外側カバー上に設けられた）図形の視認性が改善される。好ましくは、編地の坪量は、８ｇ／ｍ２〜４０ｇ／ｍ２、より好ましくは８ｇ／ｍ２〜２１ｇ／ｍ２、更により好ましくは１０ｇ／ｍ２〜１８ｇ／ｍ２である。
【００３５】
一実施形態において、キャリアは、フィルムを備えるかあるいはフィルムからなる。フィルムは、５ｇ／ｍ２〜５０ｇ／ｍ２、好ましくは５ｇ／ｍ２〜３０ｇ／ｍ２、より好ましくは１０ｇ／ｍ２〜２５ｇ／ｍ２の坪量を有し得る。有用なフィルムは、単層フィルム及び多層フィルムである。多層フィルムの各層は、互いに共押出し又は積層され得る。好適なフィルムは、例えば、ポリエチレン、ポリプロピレン、ポリエステル、ポリアミド、及びそれらのコポリマーなど、ポリオレフィンから作られる。キャリアフィルムは好ましくは、比較的安価なものである。いくつかの実施形態において、その表面（フィルム表面の少なくとも片側）は印刷に適している。それに代わって、欧州特許第１  ９９７  ９４２  Ａ１号に開示されているものなどの不織布ウェブがキャリアとして使用され得る。編地が直接、吸収性物品に接着剤で付着される実施形態においては、吸収性物品のバックシートフィルム又はバックシート不織布がキャリアとして働く。
【００３６】
編地は通常、ポリマーの糸からなり、モノフィラメント糸及び／又はマルチフィラメント糸が編地を形成するために使用され得る。編地は、例えば、ポリプロピレン、ポリエステル、ポリアミド、又は、繊維工業に固有の技術で加工され得る他の合成材料からなってもよい。
【００３７】
欧州特許第１  ６９０  ９６７  Ｂ１号から知られているように、キャリアと編地は、ループ部材の外縁部に沿って、全表面にわたって（例えば、キャリアの外縁部から始まってキャリアの中心に向かって延びる、１ｍｍ〜１０ｍｍ、好ましくは４ｍｍ〜１０ｍｍの幅にわたって）互いに接着剤で付着されてよく、したがって、交差する第１及び第２の複数の接着剤ストライプの模様の周りにフレームが設けられる。そのようなフレームは更に、キャリアから編地が分離する可能性を低減する。更に、あるフレームは、フレーム内の接合領域を低減させ得る。
【００３８】
ループ部材は、長方形状の細長い形状を有してもよく、フックアンドループ式ファスナのフック部材は、吸収性物品の胴囲を各着用者の胴囲に調節するために、種々の位置で取り付けられ得る。しかしながら、複合材料要素の他の幾何学的形状も、適切に特注することによって概ね実現され得る。
【００３９】
図１Ａ及び１Ｂは、フックアンドループ式ファスナのループ部材を示しており、このループ部材は、おむつなどの吸収性物品の前方胴部領域の外側表面に接合され得る。ループ部材は、フィルムなどのキャリア１と、キャリア１に接着剤で付着された編地２とからなる。編地２は、縦編地としてのポリマー糸で形成されており、縦方向Ｗに進む縦糸３と、フックとの連結に適した、その縦糸３に組み込まれたループ４とを有する。縦糸３は、ジグザグ模様をなして広がる連結糸５によって、互いに対して平行に連結されている。
【００４０】
編地２は、接着剤模様によってキャリア１に付着されており、接着剤は、垂直に交差する直線状の接着剤ストライプを有する模様を形成し、その接着剤ストライプは、縦糸３の方向Ｗに対して実質的に平行に設けられた第１の複数の接着剤ストライプ６ａと、第１の複数の接着剤ストライプ６ａに対して垂直に設けられた第２の複数の接着剤ストライプ６ｂとから形成されている。したがって、多数の長方形、好ましくは多数の正方形の模様が形成される。
【００４１】
個々の縦糸３は、縦方向Ｗに進む第１の複数の接着剤ストライプ６ａの領域にて接着剤で保持されるが、他の縦糸３は、縦方向Ｗに進む接着剤ストライプ６ａ同士の間に設けられ、横方向に進む第２の複数の接着剤ストライプ６ｂによってのみ保持される。フックとの絡み合いは、領域７内のこれらの縦糸３の領域で可能であり、領域７は第１及び第２の複数の接着剤ストライプによって局限されている。それと同時に、編地２は、縦方向Ｗに進む第２の複数の接着剤ストライプ６ａの領域において、更には、縦糸が第２の複数の接着剤ストライプと交差する領域においても確実に取り付けられる。キャリア１から編地２が分離することを防止するために、外周フレーム８がループ部材の外縁部に設けられてもよい。接着剤が設けられるキャリア１の表面積は、編地２に面しかつ第１及び第２の複数の接着剤ストライプ６ａ及び６ｂのパターンを設けられるキャリア１の表面積の１０％〜５０％、好ましくは２０％〜３０％であってよい（すなわち、この百分率は、フレーム８が使用される実施形態においては、そのようなフレーム８が設けられる外縁部におけるキャリア１の面積を除く）。
【００４２】
第１の複数の接着剤ストライプ６ａのうちの隣接する接着剤ストライプ同士の距離「ａ」は、７ｍｍ〜２０ｍｍ、又は７ｍｍ〜１５ｍｍであってよい。隣接する縦糸３同士の距離「ｂ」は、それよりも相当に短く、例えば、１ｍｍ〜４ｍｍ、又は１ｍｍ〜３ｍｍ、又は１．２ｍｍ〜２．２ｍｍである。図示した例示的な実施形態において、第１の複数のストライプ６ａのうちの隣接する接着剤ストライプ同士の中心間で規定される距離「ａ」は１０ｍｍであり、隣接する縦糸３同士の距離ｂは１．７ｍｍである。
【００４３】
第２の複数の接着剤ストライプ６ｂのうちの隣接する接着剤ストライプ同士の距離は、第１の複数の接着剤ストライプ６ａのうちの隣接する接着剤ストライプ同士の距離と同じであってもよい。しかしながら、本発明の一実施形態において、第２の複数の接着剤ストライプ６ｂのうちの隣接する接着剤ストライプ同士の距離は、第１の複数の接着剤ストライプ６ａのうちの隣接する接着剤ストライプ同士の距離よりも長いものである。一実施形態において、第２の複数の接着剤ストライプ６ｂのうちの隣接する接着剤ストライプ同士の距離は、第１の複数の接着剤ストライプ６ａのうちの隣接する接着剤ストライプ同士の距離よりも１０％〜１００％、又は３０％〜８０％長いものである。別の実施形態において、第２の複数の接着剤ストライプ６ｂのうちの隣接する接着剤ストライプ同士の距離は、第１の複数の接着剤ストライプ６ａのうちの隣接する接着剤ストライプ同士の距離よりも短いものである。一実施形態において、第２の複数の接着剤ストライプ６ｂのうちの隣接する接着剤ストライプ同士の距離は、第１の複数の接着剤ストライプ６ａのうちの隣接する接着剤ストライプ同士の距離よりも１０％〜１００％、又は３０％〜８０％短いものである。一般に、第１の複数の接着剤ストライプのうちの隣接する２本の接着剤ストライプ同士の距離が、隣接する２本の縦糸同士の距離と比較して、相対的に長い（６倍〜１０倍、長いなど）実施形態においては、接着剤で被覆される表面積の合計が小さくなり過ぎず、結果として、キャリアから編地が分離することなどの悪影響が生じることを回避するために、第２の複数の接着剤ストライプのうちの隣接する２本の接着剤ストライプ同士の距離は、第１の複数の接着剤ストライプのうちの隣接する２本の接着剤ストライプ同士の距離よりも短いものであるべきである。
【００４４】
図１に示すように、キャリアは、キャリア上に印刷された図形９を設けられてもよい。図形が設けられる場合、その図形は、吸収性物品の外側から半透明の編地２を通して視認可能となるべきである。一実施形態において、編地の坪量は、８ｇ／ｍ２〜４０ｇ／ｍ２、より好ましくは８ｇ／ｍ２〜２１ｇ／ｍ２、更により好ましくは１０ｇ／ｍ２〜１８ｇ／ｍ２である。
【００４５】
本発明によるループ部材を備えたフックアンドループ式係合の効率を測定するために、種々の接着剤模様（すなわち、キャリアと編地との間に施される接着剤模様）を有するループ部材、並びに種々の坪量を有する編地を開放するために必要な最大強度を、商業的に入手可能な異なる２つのフックに関して測定した（図３Ａ及び３Ｂ並びに図４Ａ及び４Ｂを参照）。
【００４６】
このため、本発明による第１及び第２の複数の接着剤ストライプが交差する、図２Ｃに示す正方形の模様をキャリアフィルムに施した（表１〜４にて「ボックス」模様と呼ぶ）。比較例として、図２Ａに示すような波形の接着剤ラインが交差する模様（表１〜４で「ドッグボーン（dog-bone）」と呼ばれる）と、図２Ｂに示すようなドット形状の領域を有する模様（表１〜４で「ドット（dot）」と呼ばれる）を、同じキャリアフィルム上に施した。
【００４７】
本発明によるボックス模様において、隣接する接着剤ストライプ同士の距離「ａ」は、第１及び第２の複数の接着剤ストライプのいずれに関しても１０ｍｍであった（図２Ｃを参照）。接着剤ストライプの幅は１．２ｍｍであった。編地に面しかつ接着剤で被覆されているキャリアの表面積は、編地に面するキャリアの全表面積を基準として２３％であった（外周フレームはこの実施形態では施されていない）。
【００４８】
交差する波線の接着剤ストライプ６’を有する、図２Ａに示す模様は多くの場合、結果として得られる領域７’の形状から「ドッグボーン」模様と呼ばれる。比較例で用いられるドッグボーン模様の場合、接着剤で被覆されるキャリアの表面積は、編地に面するキャリアの全表面積を基準として２０％である（外周フレームはこの実施形態では施されていない）。図２Ａに示すように、隣接する２本の波形接着剤ラインｄｂ１同士の最小距離は４．６ｍｍ、ｄｂ２同士の最小距離は１４．４ｍｍである。
【００４９】
図２Ｂに示すドット形状の領域７”を有する先行技術の模様の場合、接着剤で被覆されるキャリアの表面積は、編地に面するキャリアの全表面積を基準として２５％であった（外周フレームはこの実施形態では施されていない）。接着剤のないセル７”の直径ｄは１１．７ｍｍである。
【００５０】
上述した本発明による接着剤模様と、上述した比較用の２つの模様を用いて、キャリア１をニット編地に接着した。使用した接着剤は、一液型のポリウレタン接着剤であった。異なる３種類の編地を各接着剤模様に使用したが、種々の編地の坪量はそれぞれ、１８ｇ／ｃｍ２、２１ｇ／ｃｍ２、及び２５ｇ／ｃｍ２であった。すべての例で、編地はポリアミドで作られたものであり、隣接する２本の縦糸同士の距離は１．７ｍｍである。
【００５１】
測定は、ａ）アプリックス社（Aplix）のタイプＡｐｌｉｘ  ９６２によるフック、及びｂ）スリーエム社（3M）のフックＣＨＫ  ０１０８８を使用して行われた。
【００５２】
キャリアは、１７ｇ／ｍ２の坪量を有する３層のポリエチレンフィルムであった。使用した接着剤は、一液型のポリウレタン接着剤であった。
【００５３】
ＡＳＴＭ法５１７０−９８（２００４年、再確認）に対して以下の変更（つまり、フック要素の幅は２５．４ｍｍであり、フック要素の長さは１３ｍｍである。）を加えて、剥離強度の測定を、「フックアンドループ式タッチファスナの剥離強度の標準試験法（「Ｔ」法）（Standard Test Method for Peel Strength （“T” Method） of Hook and Loop Touch Fasteners）」と題されたＡＳＴＭ法、Ｄ  ５１７０−９８（２００４年、再確認）に従って、編地の長手方向と編地の横方向の両方で行った。フックは、１３ｍｍの幅のロールで供給されている。これらのフックがキャリアに接着剤で付着されてフック部材が形成され、そのため、フックロールの幅はフック部材上のフックパッチの長さとなる。フック要素のパッチは、９０ｇ／ｍ２の白色コピー紙のストライプに接着剤で付着されている。ストライプは、２５．４ｍｍ（幅）×２１０ｍｍ（長さ）の寸法を有していた。２５．４ｍｍのフックパッチの幅を紙ストライプの幅と一致させて、フック要素を紙ストライプの中心に付着させた。
【００５４】
２５．４ｍｍの幅と１００ｍｍの長さとを有するループ部材（キャリアに接着剤で付着された編地）のサンプルを調製した。横方向の剥離強度を測定するため、編地の縦方向はループ部材の幅と一致する。長手方向の剥離強度を測定するため、編地の縦方向がループ部材の長さと一致するようにサンプルを調製した。
【００５５】
次の変更を加えて、ＡＳＴＭ  Ｄ５１７０−９８（２００４年、再確認）の第８号に定められている手順に従って、この試験手順を実行した。つまり、ＡＳＴＭ  Ｄ  ５１７０−９８（２００４年、再確認）の図２のシーケンス１に示されている試験構成のみを測定した。
【００５６】
積分平均の計算法を用いた（結果を表３及び４に示す）。加えて、最大剥離強度、すなわち最大ピークの値（ＡＳＴＭ  Ｄ  ５１７０  ９８（２００４年、再確認）では述べられていない）が表１及び２に記載されている。
【００５７】
各実施形態ごとに１０のサンプルを調製及び測定し、その平均値をこれらの１０のサンプルごとに算出した。その結果が表１〜４に示されている。
【表１】
2013541376.tif 000003
【表２】
2013541376.tif 000004
【表３】
2013541376.tif 000005
【表４】
2013541376.tif 000006
【００５８】
表１〜４から分かるように、発明的な接着剤模様が用いられるとき（長手方向と横方向の両方に）、フックアンドループ式ファスナを開放するにはより高い強度が必要となる。したがって、この締結システムにより、特に編地が比較的低い坪量を有する実施形態においては、先行技術の締結システムと比較して、着用者が吸収性物品をより確実に締結することが可能となる。
【００５９】
表１〜４に示すデータから分かるように、第１及び第２の複数の接着剤ストライプを用いた本発明の接着剤模様は、接着剤で被覆される表面積を過度に低減する必要なく、先行技術の接着剤模様と比較して剥離強度を改善する。したがって、キャリアから編地が剥離する可能性を増大させることなく、確実でかつ適切なフック係合が改善される。
【００６０】
ループ部材を備える吸収性物品
以下では、本発明の吸収性物品の一例として、おむつについて説明することにする。しかしながら、再締結可能なパンツ、及びトレーニングパンツなど、他の使い捨て吸収性物品もまた本発明に包含されることを理解されたい。本発明の好ましい吸収性物品は、使い捨ておむつなどの使い捨て吸収性物品である。
【００６１】
おむつは一般に、シャーシと、そのシャーシ内に配設された吸収性コアとを備え得る。
【００６２】
おむつのシャーシは、おむつの本体を構成する。シャーシは外側カバーを備えてもよく、その外側カバーは、液体透過性であってよいトップシート、及び／又は液体不透過性であってよいバックシートを有する。吸収性コアは、トップシートとバックシートとの間に包まれてもよい。おむつはまた、トップシートと、吸収性コアの着用者に面する側との間に配設された捕捉システムを備える。捕捉システムは、吸収性コアと直接接触してもよい。シャーシはまた、サイドパネルと、伸縮性レッグカフと、弾性腰部機構とを有してもよい。
【００６３】
レッグカフと弾性腰部機構はそれぞれ通常、弾性部材を備えてもよい。おむつの一方の末端部分は、おむつの前方腰部領域として構成される。その反対側のおむつの末端部分は、後方腰部領域として構成される。おむつの中間部分は、股部領域として構成され、その股部領域は第１の腰部領域と第２の腰部領域との間で長手方向に延びる。腰部領域は、着用者の腰部の周りに寄り集まってフィット感と保持性を改善するように、弾性要素を有してもよい。股部領域とは、おむつのうちの、おむつが着用されるときに概ね着用者の脚の間に位置する部分である。
【００６４】
おむつは、縦軸（前方及び後方腰部領域を通じて、また股部領域を通じて延びる）と横軸（股部領域のみを通じて延びる）とを有する。おむつの周囲は、おむつの外縁部によって画定され、その外縁部において、長手方向の縁部はおむつの縦軸に対して概ね平行に広がり、末端縁部は横軸に対して概ね平行に長手方向の縁部の間に広がる。
【００６５】
着用者の周りの適所におむつを維持するために、前方腰部領域の少なくとも一部分は、締結システムによって後方腰部領域の少なくとも一部分に取り付けられて、脚部開口部及び物品腰部を形成することができる。本発明によれば、おむつは、上述したループ部材を有するフックアンドループ式締結システムを備える。締結システムは、後方腰部領域に取り付けられたフック部材と、前方腰部領域に取り付けられた少なくとも１つのループ部材とを備える。一実施形態において、フック部材は、おむつの両側で、後方腰部領域に長手方向の縁部に隣接して取り付けられる。フック部材は、フック部材の基材が後方腰部領域に長手方向の縁部に隣接して取り付けられ、フック（通常はフックパッチ上に設けられる）が長手方向の縁部を越えて横方向外向きに延びるように取り付けられ得る。
【００６６】
本発明の一実施形態において、ループ部材は、吸収性物品の縦軸に沿ってあるいは縦軸に対してわずかな角度（好ましくは２０°以下又は１０°以下）をなして縦糸が延びるように、吸収性物品の外表面に付着される。
【００６７】
一実施形態において、編地は、本発明の接着剤模様を用いて、おむつなどの吸収性物品の外側カバーに接着剤で付着される。したがって、これらの実施形態において、吸収性物品の外側カバーはキャリアとして働く。明らかに、これらの実施形態において、キャリアの寸法は、編地の寸法よりも相当に大きい（キャリアは通常、吸収性物品のバックシートとなるため）。編地が直接、吸収性物品に接着剤で付着される実施形態の場合、特に本明細書に示す任意の値及び百分率に関して言えば、ループ部材の寸法及びサイズは、編地のサイズ及び寸法によって規定される。また、これらの実施形態において、編地の縦方向（すなわち編地の長手方向）は、吸収性物品の長手方向と一致する。
【００６８】
本発明のループ部材はまた、おむつなどの吸収性物品の外側カバーに吸収性インサートを付着させるために使用されてもよい。そのような実施形態において、吸収性インサートは通常、吸収性コアと、トップシートと、バックシートとを備える。吸収性インサートはまた、吸収性コアとトップシートとの間に配置された捕捉システムを備えてもよい。また、そのような実施形態において、シャーシはトップシートを備えないが（トップシートは吸収性インサートによって設けられるので）、更なる外側カバーバックシートを備える。吸収性インサートは、吸収性インサートのバックシート上の、使用中にシャーシの外側カバーバックシートに面する表面上に、締結システムのある構成要素（すなわちフック部材又はループ部材）を設け、使用中に吸収性インサートに面するシャーシの外側カバーバックシートの表面上に、締結システムの他の構成要素（すなわち、吸収性インサートの締結構成要素と相補的なループ部材又はフック部材）を設けることによって、シャーシに付着される。そのような実施形態において、外側カバーは再使用型であってもよく、一方で吸収性インサートは使い捨て型であってもよい。
【００６９】
更に別の実施形態において、本発明のループ部材は、使い捨て用におむつなどの吸収性物品上に設けられる締結システムの構成要素として使用されてもよい。
【００７０】
本明細書で開示した寸法及び値は、列挙した厳密な数値に厳格に限定されるものとして解釈されるべきではない。その代わりに、別段の指定がない限り、そのような各寸法は、列挙した値と、その値を包含する機能的に等価な範囲との双方を意味することを意図したものである。例えば、「４０ｍｍ」として開示した寸法は、「約４０ｍｍ」を意味することを意図したものである。
【図１Ａ−１Ｂ】
2013541376.tif 000007
【図２Ａ】
2013541376.tif 000008
【図２Ｂ】
2013541376.tif 000009
【図２Ｃ】
2013541376.tif 000010
【国際調査報告】
2013541376.tif 000011
2013541376.tif 000012